(57)【要約】　　　（修正有）【課題】インターネット上の贈り物購入においては、贈り主が、送り先相手の住所を知らなくては、贈り物が簡単に発送出来ないことがある。【解決手段】訪問者による、書き込み者宛て又は書き込み記事に、贈り物の申し込みを受け、記憶装置による贈り物対象及び訪問者情報の確認をし、決済装置による書き込み対象宛ての贈り物代金決済確認をし、書き込み者宛又は書き込み記事宛に贈り物を完了した訪問者に、次のステップの音声送受信、映像の送受信、テレビ電話、ライブ中継の閲覧、書き込み記事中の一部に書き込み等の許可と、電子メールを加えた、システムの許可できる全てのステップに進むことを許可する。又、自己情報入力のみで贈り物が可能となり、ライブ映像が見られることにより、世界中何処にいても、冠婚葬祭式典にインターネット参加が可能となる。【選択図】図１
2004094904.tif 000002
【特許請求の範囲】
【請求項１】
インターネット上の掲示板において、訪問者による、掲示板書き込み者又は書き込み記事宛の贈り物決済の申し込みを受け、記憶装置による贈り物対象者確認ステップ、訪問者情報記憶ステップ、決済確認ステップを経て、訪問者に、次のステップに進むことを許可する、贈り物課金システム。
【請求項２】
請求項１の次のステップとして、書き込み者の音声を聞くことを許可する、贈り物課金システム。
【請求項３】
請求項１の次のステップとして、訪問者による音声の送信を許可する、贈り物課金システム。
【請求項４】
請求項１の次のステップとして、書き込み者の映像を見ることを許可する、贈り物課金システム。
【請求項５】
請求項１の次のステップとして、訪問者による映像の送信を許可する、贈り物課金システム。
【請求項６】
請求項１の次のステップとして、書き込み者との会話を許可する、贈り物課金システム。
【請求項７】
請求項１の次のステップとして、書き込み者とのテレビ電話を許可する、贈り物課金システム。
【請求項８】
請求項１の次のステップとして、書き込み者の記事中の一部に、訪問者の書き込みを許可する、贈り物課金システム。
【請求項９】
請求項１の次のステップとして、電子メールの送受信及び請求項２から請求項８までを、複数組み合わせることを可能とする贈り物課金システム
【請求項１０】
請求項２から請求項８までの贈り物課金システムを使用し、さらに、訪問者情報記憶ステップを経て、訪問者に、メールを送受信することを許可する、冠婚葬祭式典参加システム。
【発明の詳細な説明】
【０００１】
【発明の属する技術分野】本発明は、パーソナルコンピュータや携帯電話端末等の端末装置を使い、掲示板閲覧、書き込み、及び電子メール送受信を、制御、管理する掲示板システム、電子メールシステム、電子メール管理装置及びネットワーク課金方法に関する。
【０００２】
【従来の技術】現在、インターネット上の掲示板サイトにおいては、無料又は、会費を徴収する形で、サイトの運営が行われている。又、物品販売や、オークションサイト等、商品の掲示版では、自分で購入又は、贈り物の場合には、送り先の住所氏名を記入する、という形で行なわれているのが現状である。
又、現在行われている冠婚葬祭式典については、パーソナルコンピュータや携帯電話を用いて、インターネット上の参加は出来ない。
【０００３】
【発明が解決しようとする課題】出会い系サイトと呼ばれる掲示板においては、無料又は会費徴収という形で行なわれているため、参加する男女比が極端に偏り、女性の参加が少なくなっているのが現状である。
又、物品等を販売する掲示板においては、贈り物をする際に、送り先と自分の住所、氏名、を記入しなければならず、送り先の住所が正確に分からなかったり、書き間違いを起こしたりすることもある。
又、冠婚葬祭等において、遠方にいる知人、親戚の婚姻、葬儀の式典に参加したいが、時間的な余裕の無く、参加できない場合がある。その場合、祝いの品や供物を送りたいと思っても、手続きが面倒だったり、相手の住所が分からなかったりすると、なかなか送ることが出来ずに諦めてしまうといったこともありうる。特に国外にいたりすると、国内の知人に頼んだりしているのが現状である。
【０００４】
【課題を解決するための手段】
請求項１〜１０記載の発明は、いろいろな使い方が出来るが、ＢＢＳと呼ばれる出会い系サイト、葬儀、結婚式、各種パーティ、タレントの公演案内、選挙立候補者の紹介と、順を追って明示する。
出会い系サイトの掲示板の場合、女性が書き込み者であるとき、訪問者である男性からの贈り物が送られる、ということで、女性の書き込みを増加させることが出来る。男性にとっては、書き込み者の女性に贈り物をすることにより、請求項１から請求項８までのように、書き込み者の声を聞いたり、自分の声の送信、書き込み者の写真や映像を見ることが出来、自分の写真や映像を送信したり、書き込み者との会話やテレビ電話が出来る。さらに、書き込み者の記事中の一部に訪問者が書き込みすることが出来る。チャットと呼ばれる行為もこれに含まれる。また、請求項９を使用することにより、請求項を複数組み合わせることで、訪問者の各種の要求に答えられるサイトにすることが出来る。
又、同じ男女の出会い系サイトであっても、ホストクラブの、ホストの紹介の掲示板とすると、書き込み者は男性であり、訪問者は女性、贈り物をするのは女性で、贈られるのが男性になるわけである。
【０００５】
葬儀については、請求項１０を主に使用する。
新聞紙上にある訃報の欄のような、インターネット掲示板を使用する。まず、その訃報の情報が事実なのか、確認の作業が絶対必要のため、管理者書き込み掲示板が最適である。
訪問者は、書き込みされた訃報者名をクリックすることにより、詳細を見ることが出来る。そして、事前に選択肢のある供物をクリック、自分の情報だけを記入し、決済するだけで訃報者及び、喪主に供物の贈り物をすることが出来る。システムはこれを受け、生前の声や写真、映像を表示したり、その訃報記事の一部に、訪問者による住所氏名を書くことを許可する。これは実際の葬儀の記帳にあたる。さらに、お悔やみの言葉を書くことも許可可能である。また、葬儀中の様子のライブ放送を流すことにより、訪問者は葬儀にインターネット参加することが可能となる。
葬儀終了後、記憶された訪問者情報により、葬儀が無事終わったことの、訪問者への会葬御礼のメール送信。又、時を経て、法事の案内及び出欠のメール送受信もすることが出来る。
【０００６】
結婚式も葬儀の場合と同様の使い方である。訪問者は結婚する人の名前をクリックすると披露宴会場、日時等の詳細を見ることが出来る。そして、事前に選択肢のある御祝いの品をクリック、自分の情報だけを記入し、決済するだけで贈り物をすることが出来る。システムはこれを受け、結婚する二人の声や写真、映像を表示したり、その結婚式の記事の一部に、訪問者による住所氏名を書くことを許可する。これは実際の披露宴の記帳にあたる。さらに、御祝いの言葉を書くことも許可可能である。そして、結婚式、披露宴の様子のライブ放送を流すことにより、訪問者は婚礼にインターネット参加することが可能となる。
披露宴終了後、記憶された訪問者情報により、披露宴が無事終わったことの訪問者への御礼のメール送信や、新婚旅行出発、帰着の報告メール。又、時を経て、メール年賀状の送受信や妊娠等の報告をメール送信することが出来る。
【０００７】
各種パーティについては、結婚式と同様の使い方であるが、請求項３の訪問者による音声送信や、請求項５の映像送信を許可し、それをパーティ会場に流したり、映したりしたほうが、パーティをより盛り上げることができる。
【０００８】
タレントの公演案内についても請求項１０を使用する。まず、タレントの名前をクリックすると、公演予定の詳細。その個々の公演及び日程ごとに決済のためのリンクを張っておく。
訪問者は希望する公演の日時をクリックすると出演者等の詳細を見ることが出来る。そして、事前に選択肢のある祝い品をクリック、自分の情報だけを記入し、決済するだけで公演当日、タレントに花束等の贈り物をすることが出来る。システムはこれを受け、公演の映像の一部を映したり、さらに、訪問者による御祝いの言葉を書くことも許可可能である。この御祝いの言葉は、印刷し、応援メッセージとして、公演会場に掲示し、訪問者からの贈り物とすることも出来る。公演終了後、記憶された訪問者情報により、公演が無事終わったことの訪問者への御礼のメール送信や、次回の公演日程をメール送信、訪問者からは、ファンメールの送信が可能になる。
【０００９】
選挙立候補者の紹介は、請求項１０を使用し、選挙区ごとに表示された立候補者名にリンクを張る。
訪問者は立候補した人の名前をクリックすると公約や略歴の詳細を見ることが出来る。そして、事前に選択肢のある御祝いの品をクリック、自分の情報だけを記入し、決済するだけで贈り物をすることが出来る。システムはこれを受け、立候補者の声や写真、映像を表示したり、その立候補者の記事の一部に、訪問者による住所氏名を書くことを許可する。この記帳は、すべての訪問者から見ることが出来、実際の選挙事務所に来てもらうのと同等の効果になりえる。さらに、応援の言葉を書くことも許可可能である。これはそのまま大きく印刷し、応援のビラとして選挙事務所に掲示することも可能である。選挙終了後、記憶された訪問者情報により、選挙に当選又は落選のメール報告や、当選した場合の新任の挨拶メール。支援者からすると、当選御祝いのメール送信。又、時を経て、メール年賀状の送受信や次期選挙の予告等をメール送信もすることも出来る。
【００１０】
【実施例】
本発明の決済は、あくまで、訪問者による書き込み者及び書き込み記事宛の、好意の贈り物決済であり、通常の取引行為の代金支払いとは全く別の意思の決済である。又、対象である贈り物の代金全額決済だけでなく、数分の一、数十分の一といった少ない金額の決済でも可能である。
本発明の実施については、通常の掲示板以外、たとえば、企業における役員の社葬などの場合には、その企業のホームページ上で、亡くなった方の名前にリンクを張ることで使用が可能である。このように、ＢＢＳと呼ばれる掲示板の他、管理者書き込み掲示板、又、単独のホームページでも使用することが可能である。
又、本発明における選択肢のある贈り物とは、運営サイトにおいて選出した品を明示し、訪問者に選択可能にしておくものである。又、品物以外にも、熨斗紙に包んだ現金も贈り物としている。その場合、手数料という形で、訪問者から代金を徴収することでサイトの運営が可能になる。
【００１１】
図１は、本発明を用いた、冠婚葬祭式典参加システム全体の流れである。
決済機能を持たせた掲示板を用いる。
訪問者は、インターネットに接続し掲示板を閲覧し、その掲示板の書き込み者（書き込み記事）に贈り物の申し込みをし、メールアドレスを含む自己情報入力と、選択肢のある贈り物の品を選び、贈り物の決済を終了する。
システムは訪問者の決済を受け、贈り物対象先と決済を確認し、確認終了後、訪問者が次のステップに移ることを許可する。テレビ電話したり、映像配信したり、ライブ中継を映したりする事が可能となる。
そして同時に、訪問者にアドレスなどの書き込み者情報を知らせ、送受信を許可する。
【００１２】
図２は、訪問者のメール送信までの流れを示すフローチャートである。まず、第一のステップとして、訪問者の書き込み者又は、書き込み記事宛ての贈り物申し込みを受け、システムが贈り先と贈り物の確認をし、訪問者の決済了承及び、決済終了の確認。
決済終了確認後、訪問者に次のステップに進むことを許可する。
同時に、記憶装置により、訪問者情報を呼び出し、書き込み者とのメールの送受信を許可する。
以上が、本発明を用いたシステムの流れである。
【００１３】
【発明の効果】
本発明を使用することにより、出会い系サイトの書き込み者の大幅増が期待でき、その書き込み自体も、物品を伴うということで信頼性のある記事が期待できる。又、物の消費という面で見れば、知り合う前から物品を贈るシステムのため、インターネット上及び通常の商取引には、今まで存在しなかった、まったく新しい需要と消費を生むことになりうる。
又、冠婚葬祭式典参加システムは、インターネット上には、今までに存在していない、現実のイベントにインターネット参加できるシステムであり、世界中どこにいても、イベントに参加することが可能となる。
【図面の簡単な説明】
【図１】本発明実施の形態に係る、全体の構成図。
【図２】本発明を訪問者側からの処理内容を示すフローチャート
【図１】
2004094904.tif 000003
【図２】
2004094904.tif 000004